(57)【要約】【課題】ドアや引戸が取付けられる開口枠、又は開口無目枠を構成する縦枠の取付け構造であって、該縦枠にキズが付くことなく、又汚れることがないようにし、一方では背面側の柱に正しく固定することが出来る開口枠の縦枠取付け構造の提供。【解決手段】縦枠１の両側面には概略Ｆ型断面のカバー材３，３を取付け、縦枠１の背面を柱２に突き合わせると共にカバー材３，３の背面部９，９にて柱２を挟み込んで位置決めして固定する。そして、背面部９，９に側端を突き合わせて柱両側に任意のボード４，４を取付けている。【選択図】        図１
2004162475.tif 000002
【特許請求の範囲】
【請求項１】
ドアや引戸が取付けられる開口枠、又は開口無目枠を構成する縦枠の取付け構造において、縦枠の両側面には表面部、背面部及び止着部を有す概略Ｆ型断面のカバー材の上記止着部をスリット溝に嵌めて取付け、縦枠の背面を柱に突き合わせると共に背面部にて柱を挟み込んで位置決めして固定し、背面部に側端を突き合わせて柱両側に任意厚さのボードを取付けたことを特徴とする開口枠の縦枠取付け構造。
【請求項２】
ドアや引戸が取付けられる開口枠、又は開口無目枠を構成する縦枠の取付け構造において、縦枠の両側面には表面部、背面部及び止着部を有す概略Ｆ型断面のカバー材の上記止着部をスリット溝に嵌めて取付け、柱の片側には側端を揃えてボードを取付けると共に背面を柱に突き合わせ、反対側にはボードと同じ厚さのボードゲージを挟んで挟み込んで位置決めして固定し、ボードゲージを外して所定のボードを取付けたことを特徴とする開口枠の縦枠取付け構造。
【請求項３】
上記縦枠の幅寸法を上枠と同一寸法にした請求項１、又は請求項２記載の開口枠の縦枠取付け構造。
【発明の詳細な説明】
【０００１】
【発明の属する技術分野】
本発明は引戸又はドアが装着される開口枠、及び開口無目枠の縦枠取付け構造に関するものである。
【０００２】
【従来の技術】
図５は従来から使用されている開口枠の部分詳細面を示しているが、縦枠（イ）の背面側には柱（ロ）が設けられ、該柱（ロ）の両側にはボード（ハ）、（ハ）が取着されると共に、縦枠背面に形成している溝（ニ）、（ニ）にボード側端が嵌っている。そして対向して起立している両縦枠（イ）、（イ）の上端には上枠（ホ）が水平に掛架して門型枠体を構成している。
【０００３】
ところで、上記ボードは規格化された厚さを有し、一般には９．５ｍｍ、１２．５ｍｍが大半であるが、１５ｍｍ、２１ｍｍの厚さのボードも使用されている。その為に、該ボード（ハ）に合わせて縦枠（イ）を製作し、該ボード側端が嵌る溝加工が行なわれる。
【０００４】
図６は縦枠（イ）が背面側に起立する柱（ロ）に固定される場合を示しているが、該柱（ロ）から縦枠（イ）の背面側にクギ打ちされる。しかし、該クギ（ヘ）が傾いて打ち込まれるならば、柱（ロ）に対して正しく位置決めされた縦枠（イ）は横ズレして溝（ニ）に係ってしまい、ボード（ハ）の側端が該溝（ニ）に嵌らなくなる。図７はクギ打ちされた縦枠（イ）と柱（ロ）との位置関係を示しているが、（ａ）、（ｂ）に示すように該縦枠（イ）は横ズレする。（ｃ）に示すように、縦枠上端から下端にかけて正しく固定することは困難である。
【０００５】
一方、開口枠を構成する縦枠（イ）には人が出入りする場合に手が触れ、又物が接触したり、当って表面にキズ付くことが多い。縦枠（イ）は木質である為に、キズ付きやすく、汚れ易いと共に、キズ付いた縦枠（イ）を補修することは容易でない。又汚れは内部に浸透してしまう為に拭き落とすことも困難である。そして、従来の開口枠を構成する縦枠（イ）の幅寸法は上枠（ホ）の幅寸法より大きく成っている。このことは、両枠材を準備するに当って幅寸法の異なる部材を加工しなくてはならず、作業性が低下すると共に部材管理も面倒である。
【０００６】
【発明が解決しようとする課題】
このように、従来の開口枠には上記のごとき問題がある。本発明が解決しようとする課題はこれら問題点であり、縦枠にキズが付くことなく、又汚れることのないようにし、背面側の柱に正しく固定することが出来る開口枠の縦枠取付け構造を提供する。
【０００７】
【課題を解決する為の手段】
本発明に係る開口枠の縦枠取付け構造は木質の縦枠の両側面に概略Ｆ型断面の樹脂製カバー材を取付け、そして背面が柱に接して固定される。上記Ｆ型断面のカバー材には止着部が設けられて、該止着部は縦枠側面に形成したスリット溝に嵌合して取付けられ、縦枠の側面から背面の一部を被覆することが出来る。カバー材の背面部先端が柱の両側面に接する場合には、該柱を両背面部にて挟み込むことで正しく位置決めされた状態でクギ打ちされる。そして縦枠が柱に固定された後でボードを柱両側面に当接すると共に側端はカバー材の背面部に突き合わせて取付けられる。
【０００８】
一方、柱の両側面に取付けられるボードの側端が柱表面まで延びて同一面に成るように該ボードを取付ける場合には、ボードゲージを使用して縦枠の位置決めがなされる。すなわち、ボードゲージの厚さはボード厚さと同じ寸法であり、少なくとも片側にはボードの代わりにボードゲージを配置した状態でクギ打ちされて縦枠が柱に正しく固定される。そして、本発明では縦枠と上枠の幅寸法を同一にすることで作業性の向上を図り、上枠と同一幅に加工された縦枠の側面にはカバー材が取付けられる。以下、本発明に係る実施例を図面に基づいて詳細に説明する。
【０００９】
【実施例】
図１は本発明に係る開口枠の縦枠取付け構造を示す実施例であり、同図の１は縦枠、２は柱、３はカバー材、４はボードを表している。縦枠１は起立している柱２に対して正しい位置に固定される。上記カバー材３は概略Ｆ型断面を成し、縦枠の両側面と背面の一部を被覆し、両カバー材の背面部の間に柱２を挟んで縦枠１が位置決めされる。柱２の背後にはコ型断面の金属製補強材５が起立し、柱２は該補強材５に取着されると共に該柱２からクギ打ちされて縦枠１が固定される。
【００１０】
同図に示す点線はシール材２０であって、縦枠１の表面からカバー材３を覆うようにシール材２０が貼着されている。そして、ボード４，４は補強材５及び柱２の両側に取付けられ、ボード側端はカバー材３の背面部９に当接している。従って、ボード４の厚さが如何様であっても、何ら問題なく該ボード４を取付け出来る。
【００１１】
図１において、（ａ）は９．５ｍｍ厚さのボードが取付けられている場合、（ｂ）は１２．５ｍｍ厚さのボードが取付けられている場合を示している。このように、ボード４の厚さが違っても、同じ開口枠の縦枠１に取付けることが可能である。ここで、縦枠１の側面に樹脂製カバー材３が取付けられているが、該カバー材３は概略Ｆ型断面を成し、上記背面部９と表面部８及び止着部１０を形成している。そして該止着部１０は縦枠側面に形成したスリット溝１１に嵌合して該カバー材３が取付けられる。
【００１２】
上記コ型断面の補強材５は柱２を補強しているが、該柱２を太くするならば該補強材５は不要となる。そして補強材５の側からクギ打ちして縦枠１を柱２に固定しなくてはならず、その為に、該補強材５にはクギ打ちする為の穴を所々に設けている。
【００１３】
図２は本発明の開口枠の縦枠取付け構造を示す他の実施例である。この実施例では縦枠６ａ，６ｂが異なり、カバー材７，７は共通している。縦枠６ａの幅寸法ｍは縦枠６ｂの幅寸法Ｍに比較して小さくなっているが、その分、取付けられるボード４ａの厚さはボード４ｂの厚さより小さい。この実施例では、ボード４ａ，４ｂの側端が縦枠６ａ，６ｂの背面に当接した状態で取付けられている為に、２枚のボード４，４と柱２が縦枠６の側面に取付けたカバー材の背面部９，９の間に挟まれている。
【００１４】
ところで、図１に示した実施例では、縦枠側面に取着したカバー材３の両背面部９，９に柱２が嵌って位置決めされる為に、該縦枠１は柱２に対して正しく固定される。しかし図２の実施例では、起立している柱２に対して縦枠６を正しく固定する場合、その位置決めが問題となる。勿論、縦枠６ａ，６ｂの幅寸法ｍ，Ｍは取付けられるボード４ａ，４ｂの厚さ及び柱２の幅寸法を前以て決めた上で製作されるが、両ボード４ａ，４ａ及び４ｂ，４ｂが取付けられた状態では柱２の背面側からクギ打ちすることは出来ない。
【００１５】
そこで、本発明ではボードゲージ１２が使用されて縦枠６ａ，６ｂの位置決めがなされる。図３はボードゲージ１２を使用して縦枠６ａ，６ｂを柱２に固定する方法を示している。幅寸法ｍの縦枠６ａの場合、その両側にはカバー材７，７が取付けられる。カバー材７は概略Ｆ型断面を成して、表面部８、背面部９、及び止着部１０を有している。そして、止着部１０が縦枠６ａの側面に形成したスリット溝１１に嵌合して取付けられる。
【００１６】
柱２の片側にはボード４ａが取着され、両カバー材７，７を取付けた縦枠６ａは柱２とボード側端にその背面を当接する。そしてボード４ａのない反対側にはボードゲージ１２を柱２と背面部９との間に形成される隙間に嵌められる。該ボードゲージ１２はボード４ａと同じ厚さをしたゲージであり、この状態で、縦枠６ａは柱側からクギ打ちが行なわれる。すなわち、ボードゲージ１２は柱２よりも後方側寸法が小さくて、クギ打ちするに何ら支障はない。
【００１７】
一方、図３（ｂ）の場合は、縦枠寸法Ｍが大きく成っているが、その分だけボード４ｂの厚さが大きい。縦枠６ｂの固定方法は縦枠６ａの場合と同じであり、柱２の片側にはボード４ｂが取着され、両カバー材７，７を取付けた縦枠６ｂは柱２とボード側端にその背面を当接する。そしてボード４ｂのない反対側にはボードゲージ１２を柱２と背面部９との間に形成される隙間に嵌められる。該ボードゲージ１２はボード４ｂと同じ厚さをしたゲージであり、この状態で、縦枠６ｂは柱側からクギ打ちが行なわれる。ボードゲージ１２はボード４ａの厚さに対応する嵌入部１３ａとボード４ｂの厚さに対応する嵌入部１３ｂを備えている。
【００１８】
図４は本発明の開口枠に戸当りを取付け、そしてドアを装着した場合である。両縦枠６，６と上枠１４にて枠体が構成され、そして縦枠６，６の両側面にはカバー材７，７・・が取付けされている。そして両縦枠６，６の表面、及び上枠１４の表面には戸当り１５，１５・・が設けられている。
【００１９】
戸当り１５は２ピースで構成され、基台１６とカバー材１７から成っている。基台１６は縦枠６及び上枠１４にネジ止めにて取着され、カバー材１７は該基台１６にワンタッチ方式で取付けられるように、基台１６に設けた溝にカバー材１７の脚が嵌るようにしている。又は、逆に基台１６に設けた脚がカバー材１７の溝に嵌って取付けることも出来る。そこで、縦枠６及び上枠１４の表面は平坦面を成して従来のように戸当りが嵌る嵌合溝を有していない。
【００２０】
ここで、カバー材１７は基台１６を被覆する形状と成っているが、具体的にはドア枠に適した個々の特徴をもって形成することが出来る。そして、ドア１８が閉じることで戸当り１５に当るが、基台側の側面にクッション材としてモヘア１９を設けて当りを緩和することが出来る。ここで、縦枠６と上枠１４の幅寸法は同じ大きさとしている。
【００２１】
以上述べたように、本発明の開口枠の縦枠取付け構造は、縦枠両側面に概略Ｆ型断面のカバー材を取付けたものであり、次のような効果を得ることが出来る。
【００２２】
【発明の効果】
本発明の開口枠では、その縦枠の両側面に概略Ｆ型断面のカバー材が取付けられる為に、該カバー材は木質の縦枠を保護して汚れやキズを防止することが出来る。そしてカバー材が汚れたりキズ付いた場合には、新たなカバー材と交換することが簡単に出来る。勿論、カバー材は樹脂製である為に木質に比較して硬く、キズ付くことは少なく、汚れも落ち易い。
【００２３】
そして、カバー材は縦枠の側面をカバーするだけでなく、背面部を有している為に縦枠を柱に固定する場合、その位置決めとして機能することが出来る。例えば、背面部先端が柱に接するようにした場合はその状態でクギ打ちされ、その後任意の厚さのボードが取付け出来る。又、柱両側にボードを取付けた状態で背面部にて挟み込む形態であるならば、該ボード厚さのボードゲージを嵌めて位置決めしたところで縦枠を柱にクギ打ちすることが出来る。さらに、本発明の開口枠は縦枠と上枠の幅寸法を同一にすることで作業性が向上し、コストは安くなり、部材保管も楽になる。
【図面の簡単な説明】
【図１】本発明に係る開口枠の縦枠取付け構造。
【図２】本発明に係る開口枠の縦枠取付け構造。
【図３】ボードゲージを用いた縦枠の位置決め方法。
【図４】開口枠に戸当りを取付けた具体例。
【図５】従来の開口枠の取付け構造。
【図６】縦枠の固定方法。
【図７】柱に固定される縦枠の位置ズレ。
【符号の説明】
１  縦枠
２  柱
３  カバー材
４  ボード
５  補強材
６  縦枠
７  カバー材
８  表面部
９  背面部
１０  止着部
１１  スリット溝
１２  ボードゲージ
１３  嵌入部
１４  上枠
１５  戸当り
１６  基台
１７  カバー材
１８  ドア
１９  モヘア
２０  シール材
【図１】
2004162475.tif 000003
【図２】
2004162475.tif 000004
【図３】
2004162475.tif 000005
【図４】
2004162475.tif 000006
【図５】
2004162475.tif 000007
【図６】
2004162475.tif 000008
【図７】
2004162475.tif 000009